(57)【特許請求の範囲】
【請求項１】
それぞれ中央に対応する貫通孔部を備えた、平らな端面部を有する本体部と、円筒状の周縁部と前記周縁部の一方の端部に位置し開口部を有する底壁部とからなり、前記底壁部の一方の面が前記平らな端面部に接して配置される阻止板材と、前記本体部に接続されるナットと、前記本体部と前記ナットとの間に配置されて逆方向への進行を阻止する歯部を有する抜け止め部材とを備え、前記阻止板材、前記本体部、前記抜け止め部材および前記ナットが組み合わされて形成された前記ナット側の端部から、樹脂製パイプが不可逆的に挿入されて、挿入された前記パイプの先端面部が前記阻止板材の底壁部の表面に阻止されて固定される継手用アダプタと、
分岐部に用いられるヘッダに、止水可能に挿入される頭部と、前記継手用アダプタに挿入され概ね同一面で固定された前記樹脂製パイプに、止水可能に挿入される脚部とを備え、前記頭部の外径が前記樹脂製パイプの外径よりも大きく、前記脚部の外径が前記樹脂製パイプの内径と概ね同一で、前記頭部と前記脚部が一体的に形成されたインコアとを備えた継手。
【請求項２】
前記本体部は、一方の端部に前記平らな端面部を、そして、他方の端部に前記ナットとの接続部をそれぞれ備え、内部に前記抜け止め部材を収容する抜け止め部材収容部を有し、
前記ナットは、一方の端部に前記本体部の前記接続部に対応する接続部を、そして、他方の端部に前記樹脂製パイプが挿入される前記端部をそれぞれ備えていることを特徴とする、請求項１に記載の継手。
【請求項３】
前記本体部の接続部は外表面に形成されたネジ山からなっており、前記ナットの接続部は内表面に形成された対応するネジ溝からなっており、前記ネジ山と前記ネジ溝が噛み合わされて接続され、前記抜け止め部材収容部は円錐台形からなっており、本体部とナットの境界部に向かって内径が拡大し、前記本体部と前記ナットの概ね境界部に前記抜け止め部材が配置されていることを特徴とする、請求項２に記載の継手。
【請求項４】
前記頭部に少なくとも１つのＯリングを有して、前記ヘッダとの間の止水機能を備え、前記脚部に少なくとも１つの別のＯリングを有して、前記樹脂製パイプとの間の止水機能を備えている、請求項３に記載の継手。
【請求項５】
それぞれ中央に対応する貫通孔部を備えた、平らな端面部を有する本体部と、円筒状の周縁部と前記周縁部の一方の端部に位置し開口部を有する底壁部とからなり、前記底壁部の一方の面が前記平らな端面部に接して配置される阻止板材と、前記本体部に接続されるナットと、前記本体部と前記ナットとの間に配置されて逆方向への進行を阻止する歯部を有する抜け止め部材とを備えた継手用アダプタであって、
前記阻止板材、前記本体部、抜け止め部材および前記ナットが組み合わされて形成された前記アダプタの前記ナット側の端部から、樹脂製パイプが不可逆的に挿入されて、挿入された前記パイプの先端面部が前記阻止板材の底壁部の表面に阻止されて固定される継手用アダプタ。
【請求項６】
前記抜け止め部材を固定する固定リングを更に備え、
前記本体部は、一方の端部に前記平らな端面部を、そして、他方の端部に前記ナットとの接続部をそれぞれ備え、内部に前記抜け止め部材を収容する抜け止め部材収容部を有し、
前記ナットは、一方の端部に前記本体部の前記接続部に対応する接続部を、そして、他方の端部に前記樹脂製パイプが挿入される前記端部をそれぞれ備えていることを特徴とする、請求項５に記載の継手用アダプタ。
【請求項７】
前記本体部の接続部は外表面に形成されたネジ山からなっており、前記ナットの接続部は内表面に形成された対応するネジ溝からなっており、前記ネジ山と前記ネジ溝が噛み合わされて接続され、前記抜け止め部材収容部は円錐台形からなっており、本体部とナットの境界部に向かって内径が拡大し、前記本体部と前記ナットの概ね境界部に前記抜け止め部材および前記固定リングが配置されていることを特徴とする、請求項６に記載の継手用アダプタ。
【請求項８】
平らな端面部を有する本体部と、円筒状の周縁部と前記周縁部の一方の端部に位置し開口部を有する底壁部とからなり、前記底壁部の一方の面が前記平らな端面部に接して配置される阻止板材と、前記本体部と接続されるナットと、前記本体部と前記ナットとの間に配置されて逆方向への進行を阻止する歯部を有する抜け止め部材とを備えた継手用アダプタの前記ナット側の端部から、樹脂製パイプを、その先端面が前記阻止板材の底壁部の表面に阻止されるまで、不可逆的に挿入、固定し、
分岐部に用いられるヘッダに、止水可能に挿入される頭部と、前記継手用アダプタに挿入された前記樹脂製パイプに、止水可能に挿入される脚部とを一体的に備えたインコアを、前記脚部と前記頭部の境界部の端面が前記阻止板材の底壁部に接するまで前記樹脂製パイプ内に挿入する、継手へのパイプの挿入固定方法。
【請求項９】
前記抜け止め部材の前記歯部が前記アダプタの前記平らな端面側に突き出て、前記樹脂製パイプが挿入方向と逆方向へ進行するのを阻止し、
前記阻止板材の底壁部の表面に阻止されて固定された前記樹脂製パイプの先端面が、前記阻止板材の底壁部を介して視認できることを特徴とする請求項８に記載の継手へのパイプの挿入固定方法。
【請求項１０】
平らな端面部を有する本体部と、円筒状の周縁部と前記周縁部の一方の端部に位置し開口部を有する底壁部とからなり、前記底壁部の一方の面が前記平らな端面部に接して配置される阻止板材と、前記本体部と接続されるナットと、前記本体部と前記ナットとの間に配置されて逆方向への進行を阻止する歯部を有する抜け止め部材とを備えた継手用アダプタの前記ナット側の端部から、樹脂製パイプを、その先端面が前記阻止板材の底壁部の表面に阻止されるまで、不可逆的に挿入、固定し、
前記継手用アダプタに不可逆的に挿入、固定された前記樹脂製パイプを、前記挿入方向に更に押し進め、
前記樹脂製パイプの前記ナット側の端部近傍において切断し、
前記樹脂製パイプを前記継手用アダプタから取り外す、
継手用アダプタからの樹脂製パイプの解除方法。 
【発明の詳細な説明】
【技術分野】
【０００１】
この発明は、給水給湯システムにおける分岐部に設けられるヘッダーに取り付けされる継手、および、継手へのパイプ挿入固定方法に関する。
【背景技術】
【０００２】
給水給湯システムにおいては、分岐部に給水用・給湯用のヘッダーが設けられ、ヘッダーから一括分岐される。ヘッダーには、継手が取り付けられて、樹脂製のパイプがヘッダーと接続される。継手には一体型、分離型があり、一体型を使用すると、継手にパイプを挿入した場合に、パイプが正常に挿入されたか否かの確認は、目視と音によって行われる。従って、継手にパイプが正常に挿入されたことを確認するのが困難である。更に、一体型によると、パイプの挿入が正常でない場合に、改めて正常に挿入しようとすると、挿入されたパイプは抜け止めリング、圧縮リング等によって固定されており、この固定を解除する機構が無い。
【０００３】
従来使用されている分離型の継手１つの例を説明する。図８は、従来の継手を説明する一部切り欠き部を備えた側面図である。
継手１００は、先端部１０３が（図示しない）ヘッダーに接続されるアダプタ１０１と、一方の端部から中央部の表面部１０７を覆うように樹脂製パイプ１１０が接続され、他方の端部（即ち、先端部）１０９がアダプタ１０１内に挿入されるインコア１０２からなっている。アタプタ１０１のインコア１０２の先端部１０９が挿入される部分の内部に、挿入されたインコア１０２を固定するグリップリング１０４が設けられている。
【０００４】
インコア１０２の表面部１０７は、上述したように樹脂製パイプ内に挿入される。その際、パイプの先端面が突起部１０８の垂直面によって停止するまでインコア１０２の一方の端部がパイプ内に挿入される。このように一方の端部から中央部にかけて表面部を覆うように樹脂パイプの内側に挿入された状態で、インコア１０２がアダプタ１０１の内側に挿入され、グリップリングによって樹脂製パイプがアダプタ内に固定される。
【０００５】
アダプタ１０１の先端部１０３は、ヘッダーの形状に対応した形状からなっており、アダプタの先端部が対応するヘッダーの中に挿入されて、例えばファスナによってその状態で固定される。樹脂製パイプ内に一部が挿入されたインコアをアダプタに挿入した際に、挿入が十分でない場合には、特殊な治具を用いてグリップリングを拡げることによって、インコアを固定する固定機能が解除され、改めて樹脂製パイプのインコアへの装着およびインコアのアダプタ内への挿入が行われる。
【０００６】
従来の継手の場合には、上手く装着できなかった場合の解除機構は備えているが、パイプ１１０およびインコア１０２のアダプタ１０１への装着状況の確認は目で視認される。図９に継手の状態を示す。図９（ｂ）に示す状態が正常な状態である。即ち、樹脂製パイプ１１０を通してＯリング１０６が１本確認できる状態である。これに対して、図９（ａ）に示す状態は、樹脂製パイプ１１０を通してＯリング１０５、１０６が２本確認できる状態であり、挿入不足であることを示す。図９（ｃ）に示す状態は、樹脂製パイプ１１０を通してＯリングが確認できない状態であり、インコア１０２への樹脂性パイプ１１０の取り付けが浅く、完全な止水機能が発揮できていないことを示す。
【特許文献１】特開２００４−１８３７６１号公報
【発明の開示】
【発明が解決しようとする課題】
【０００７】
上述したように、一体型では、継手にパイプを挿入した場合に、パイプが正常に挿入されたか否かの確認は、目視と音によって行われる。従って、継手にパイプが正常に挿入されたことを確認するのが困難である。更に、一体型によると、パイプの挿入が正常でない場合に、改めて正常に挿入しようとすると、挿入されたパイプは抜け止めリング、圧縮リング等によって固定されており、この固定を解除する機構が無い。
分離型では、暗いところで作業をする場合に視認が難しく、熟練者によって確認する必要があり、簡単に確実に挿入状況を確認することが難しい。
【０００８】
従って、この発明の目的は、従来の問題点を解決して、ワンタッチで樹脂製パイプを挿入し、挿入確認が目視で容易に且つ確実に行え、装着状態が良くない場合にも容易に解除機能を備えている継手および継手へのパイプの挿入固定方法を提供することにある。
【課題を解決するための手段】
【０００９】
本発明者は、上述した従来の問題点を解決すべく鋭意研究を重ねた。その結果、以下のことが判明した。即ち、逆方向への進行を妨げる抜け止め部材を備えた継手用アダプタの一方の端部から、阻止板材を備えた他方の端部まで樹脂製パイプを挿入し、阻止板材で阻止された状態でパイプが固定されるようにすると、パイプが所望の位置まで確実に挿入され、且つ、挿入状態を確実に目で確認することができる。次いで、このように継手用アダプタの阻止板材を備えた他方の端部に阻止された状態で固定されたパイプに、継手用アダプタの他方の端部の側（ヘッダー側）から、インコアを挿入することによって、パイプが所望の状態で装着された継手を、ワンタッチで確実に形成することができることが判明した。
さらに、この阻止板材をプラスチック等の透明な材質とすることにより、挿入状態を確実に目で確認することができる。
【００１０】
更に、上述したように、継手用アダプタおよびインコアからなる継手に挿入されたパイプを解除する場合には、パイプをインコア側に更に押し進め、パイプのナット側の端部近傍において切断し、パイプを継手用アダプタから取り外すことによって解除することができるので、解除機能を容易に持たせることができることが判明した。
【００１１】
この発明は、上記研究結果に基づいてなされたものであって、この発明の継手用アダプタの第１の態様は、それぞれ中央に対応する貫通孔部を備えた、平らな端面部を有する本体部と、円筒状の周縁部と前記周縁部の一方の端部に位置し開口部を有する底壁部とからなり、前記底壁部の一方の面が前記平らな端面部に接して配置される阻止板材と、前記本体部に接続されるナットと、前記本体部と前記ナットとの間に配置されて逆方向への進行を阻止する歯部を有する抜け止め部材とを備えた継手用アダプタであって、
前記阻止板材、前記本体部、抜け止め部材および前記ナットが組み合わされて形成された前記アダプタの前記ナット側の端部から、樹脂製パイプが不可逆的に挿入されて、挿入された前記パイプの先端面部が前記阻止板材の底壁部の表面に阻止されて固定される継手用アダプタである。
【００１２】
この発明の継手用アダプタの第２の態様は、前記抜け止め部材を固定する固定リングを更に備え、
前記本体部は、一方の端部に前記平らな端面部を、そして、他方の端部に前記ナットとの接続部をそれぞれ備え、内部に前記抜け止め部材を収容する抜け止め部材収容部を有し、
前記ナットは、一方の端部に前記本体部の前記接続部に対応する接続部を、そして、他方の端部に前記樹脂製パイプが挿入される前記端部をそれぞれ備え、内部に前記固定リングを収容する固定リング収容部を有していることを特徴とする継手用アダプタである。
【００１３】
この発明の継手用アダプタの第３の態様は、前記本体部の接続部は外表面に形成されたネジ山からなっており、前記ナットの接続部は内表面に形成された対応するネジ溝からなっており、前記ネジ山と前記ネジ溝が噛み合わされて接続され、前記抜け止め部材収容部および前記固定リング収容部はそれぞれ円錐台形からなっており、本体部とナットの境界部に向かって内径が拡大し、前記本体部と前記ナットの概ね境界部に前記抜け止め部材および前記固定リングが配置されていることを特徴とする継手用アダプタである。
【００１４】
図面の説明に関して、本発明に用いるインコアの第１の態様は、分岐部に用いられるヘッダに、止水可能に挿入される頭部と、継手用アダプタに挿入された樹脂製パイプに、止水可能に挿入される脚部とを備え、前記頭部および前記脚部はそれぞれ中央に貫通孔を有し、
前記頭部の外径が前記樹脂製パイプの外径よりも大きく、前記脚部の外径が前記樹脂製パイプの内径と概ね同一で、前記頭部と前記脚部が一体的に形成されたインコアである。
【００１５】
図面の説明に関して、本発明に用いるインコアの第２の態様は、前記頭部に少なくとも１つのＯリングを有して、前記ヘッダとの間の止水機能を備え、前記脚部に少なくとも１つの別のＯリングを有して、前記樹脂製パイプとの間の止水機能を備えているインコアである。 
【００１６】
この発明の継手の第１の態様は、それぞれ中央に対応する貫通孔部を備えた、平らな端面部を有する本体部と、円筒状の周縁部と前記周縁部の一方の端部に位置し開口部を有する底壁部とからなり、前記底壁部の一方の面が前記平らな端面部に接して配置される阻止板材と、前記本体部に接続されるナットと、前記本体部と前記ナットとの間に配置されて逆方向への進行を阻止する歯部を有する抜け止め部材とを備え、前記阻止板材、前記本体部、前記抜け止め部材および前記ナットが組み合わされて形成された前記ナット側の端部から、樹脂製パイプが不可逆的に挿入されて、挿入された前記パイプの先端面部が前記阻止板材の底壁部の表面に阻止されて固定される継手用アダプタと、分岐部に用いられるヘッダに、止水可能に挿入される頭部と、前記継手用アダプタに挿入され概ね同一面で固定された前記樹脂製パイプに、止水可能に挿入される脚部とを備え、前記頭部の外径が前記樹脂製パイプの外径よりも大きく、前記脚部の外径が前記樹脂製パイプの内径と概ね同一で、前記頭部と前記脚部が一体的に形成されたインコアとを備えた継手である。
【００１７】
この発明の継手の第２の態様は、前記本体部は、一方の端部に前記平らな端面部を、そして、他方の端部に前記ナットとの接続部をそれぞれ備え、内部に前記抜け止め部材を収容する抜け止め部材収容部を有し、
前記ナットは、一方の端部に前記本体部の前記接続部に対応する接続部を、そして、他方の端部に前記樹脂製パイプが挿入される前記端部をそれぞれ備え、内部に前記固定リングを収容する固定リング収容部を有していることを特徴とする継手である。
【００１８】
この発明の継手の第３の態様は、前記頭部に少なくとも１つのＯリングを有して、前記ヘッダとの間の止水機能を備え、前記脚部に少なくとも１つの別のＯリングを有して、前記樹脂製パイプとの間の止水機能を備えている継手である。
【００１９】
この発明の継手の第４の態様は、前記本体部の接続部は外表面に形成されたネジ山からなっており、前記ナットの接続部は内表面に形成された対応するネジ溝からなっており、前記ネジ山と前記ネジ溝が噛み合わされて接続され、前記抜け止め部材収容部および前記固定リング収容部はそれぞれ円錐台形からなっており、本体部とナットの境界部に向かって内径が拡大し、前記本体部と前記ナットの概ね境界部に前記抜け止め部材および前記固定リングが配置されていることを特徴とする継手である。
【００２０】
この発明の継手へのパイプの挿入固定方法の第１の態様は、平らな端面部を有する本体部と、円筒状の周縁部と前記周縁部の一方の端部に位置し開口部を有する底壁部とからなり、前記底壁部の一方の面が前記平らな端面部に接して配置される阻止板材と、前記本体部と接続されるナットと、前記本体部と前記ナットとの間に配置されて逆方向への進行を阻止する歯部を有する抜け止め部材とを備えた継手用アダプタの前記ナット側の端部から、樹脂製パイプを、その先端面が前記阻止板材の底壁部の表面に阻止されるまで、不可逆的に挿入、固定し、
分岐部に用いられるヘッダに、止水可能に挿入される頭部と、前記継手用アダプタに挿入された前記樹脂製パイプに、止水可能に挿入される脚部とを一体的に備えたインコアを、前記脚部と前記頭部の境界部の端面が前記阻止板材の底壁部に接するまで前記樹脂製パイプ内に挿入する、継手へのパイプの挿入固定方法である。
【００２１】
この発明の継手へのパイプの挿入固定方法の第２の態様は、前記抜け止め部材の前記歯部が前記アダプタの前記平らな端面側に突き出て、前記樹脂製パイプが挿入方向と逆方向へ進行するのを阻止し、
前記阻止板材の底壁部の表面に阻止されて固定された前記樹脂製パイプの先端面が、前記阻止板材の底壁部を介して視認できることを特徴とする、継手へのパイプの挿入固定方法である。
【００２２】
継手用アダプタからの樹脂製パイプの解除方法の第１の態様は、平らな端面部を有する本体部と、円筒状の周縁部と前記周縁部の一方の端部に位置し開口部を有する底壁部とからなり、前記底壁部の一方の面が前記平らな端面部に接して配置される阻止板材と、前記本体部と接続されるナットと、前記本体部と前記ナットとの間に配置されて逆方向への進行を阻止する歯部を有する抜け止め部材とを備えた継手用アダプタの前記ナット側の端部から、樹脂製パイプを、その先端面が前記阻止板材の底壁部の表面に阻止されるまで、不可逆的に挿入、固定し、
前記継手用アダプタに不可逆的に挿入、固定された前記樹脂製パイプを、前記挿入方向に更に押し進め、
前記樹脂製パイプの前記ナット側の端部近傍において切断し、
前記樹脂製パイプを前記継手用アダプタから取り外す、
継手用アダプタからの樹脂製パイプの解除方法である。
【発明の効果】
【００２３】
この発明の継手用アダプタによると、逆方向への進行を阻止する歯部を有する抜け止め部材を備えており、ナット側から樹脂製パイプを垂直方向に、先端面が阻止板材の平らな底壁部に接するまで挿入すると、樹脂製パイプの先端面と平らな底壁部が概ね同一平面になる状態で、樹脂製パイプが継手アダプタに、ワンタッチで容易に位置決めされ固定される。このように樹脂製パイプが所望の位置に固定されていることを目で容易に確認できる。
【００２４】
図面の説明に関して、本発明に用いるインコアによると、分岐部に用いられるヘッダに、止水可能に挿入される頭部と、継手用アダプタに挿入された樹脂製パイプに、止水可能に挿入される脚部とを備えているので、ワンタッチでアダプタおよび継手用アダプタに止水可能に装着することができる。 
【００２５】
この発明の継手によると、樹脂製パイプが継手アダプタに、ワンタッチで容易に位置決めされ固定され、樹脂製パイプが所望の位置に固定されていることを目で容易に確認でき、更に、ワンタッチでインコアを継手アダプタに固定された樹脂製パイプに装着することができ、分岐部に設けられるヘッダにワンタッチで止水機能を備えて装着することができる。
【００２６】
この発明の継手へのパイプの挿入固定方法によると、樹脂製パイプが継手アダプタに、ワンタッチで容易に位置決めされ固定され、樹脂製パイプが所望の位置に固定されていることを目で容易に確認できる。
【００２７】
更にこの発明の継手用アダプタからの樹脂製パイプの解除方法によると、樹脂製パイプを挿入方向に更に押し進めるだけで、樹脂製パイプを継手用アダプタから容易に解除することができる。更に、阻止板材の円筒状の周縁部を保持することによって、インコアのＯリング部に手の脂分の付着を防止することができ、解除によるインコアの機能停止を防止することができる。
【発明を実施するための最良の形態】
【００２８】
本発明の継手、および、継手へのパイプの挿入固定方法の態様について図面を参照しながら詳細に説明する。
この発明の継手用アダプタの１つの態様は、それぞれ中央に対応する貫通孔部を備えた、平らな端面部を有する本体部と、円筒状の周縁部と周縁部の一方の端部に位置し開口部を有する底壁部とからなり、底壁部の一方の面が平らな端面部に接して配置される阻止板材と、本体部に接続されるナットと、本体部とナットとの間に配置されて逆方向への進行を阻止する歯部を有する抜け止め部材とを備えた継手用アダプタであって、阻止板材、本体部、抜け止め部材およびナットが組み合わされて形成されたアダプタのナット側の端部から、樹脂製パイプが不可逆的に挿入されて、挿入されたパイプの先端面部が阻止板材の底壁部の表面に阻止されて固定される継手用アダプタである。
【００２９】
図１は継手用アダプタを説明する図である。図１に示すように、継手用アダプタは、平らな端面部を有する本体部と、円筒状の周縁部と周縁部の一方の端部に位置し開口部を有する底壁部とからなり、底壁部の一方の面が平らな端面部に接して配置される阻止板材と、本体部に接続されるナットと、本体部とナットとの間に配置されて逆方向への進行を阻止する歯部を有する抜け止め部材と、抜け止め部材を固定する固定リングとを備えている。
【００３０】
図１（ａ）はナットの斜視図（左側の図）および側面図（右側の図）である。図１（ａ）に示すように、ナット１１は、樹脂製パイプが挿入される側の端部１２と、後述する本体部の接続部に対応する接続部１３を備え、内部に固定リングを収容する固定リング収容部２０を備えている。樹脂製パイプが挿入される側の端部１２には樹脂製パイプの断面外形と概ね同じ大きさの孔部が備えられている。ナット１１の接続部１３は内表面に沿って形成されたネジ溝からなっている。
【００３１】
図１（ｂ）は固定リングの斜視図（左側の図）および側面図（右側の図）である。図１（ｂ）に示すように、固定リング１４は、後述する抜け止め部材と接触する後端部１５と、ナットの固定リング収容部に接触する前端部１６とからなっている。何れも、抜け止め部材およびナットの固定リング収容部と組み合わされる形状を有している。例えば、後端部１５は、抜け止め部材に挿入される部分と、抜け止め部材の端面と対応する端面を備えている。前端部はナットの固定リング収容部と対応する傾斜面を有している。
【００３２】
図１（ｃ）は抜け止め部材の斜視図（左側の図）および側面図（右側の図）である。図１（ｃ）に示すように、抜け止め部材１７は、挿入された樹脂パイプが逆方向への進行を阻止する歯部１９を有している。好ましくは、抜け止め部材１７は、挿入された樹脂製パイプが後戻りしないように、金属製の歯部１９を備えている。抜け止め部材１７は、薄板を加工して形成され、後述する本体部の抜け止め部材収容部に収容され、固定されるように垂直面１８と、パイプの進行方向に先細り状に突き出した中空の概ね円錐台形状の歯部１９とを備えている。
【００３３】
図１（ｄ）は、本体部の斜視図（左側の図）および側面図（右側の図）である。図１（ｄ）に示すように、本体部３１は、後述するように挿入されたパイプの先端面と同一面になる平らな端面部３２と、ナット側の端部にナットとの接続部３３をそれぞれ備え、内部に上述した抜け止め部材を収容する抜け止め部材収容部３４を有している。接続部３３は上述したナットの接続部１３の内表面に沿って形成されたネジ溝と対応するネジ山を備えている。抜け止め部材収容部３４は、樹脂パイプが逆方向への進行を阻止する機能を備えて抜け止め部材の歯部が収容されるように、ナット側に向かって末広がりに広がっている。更に、本体部が後述するヘッダとの間を固定するファスナが取り付けられる凹部３５を備えていてもよい。本体部の平らな端面部３２には、概ね樹脂製パイプの断面形状と概ね同じ大きさの孔部が備えられている。なお、接続部はネジ山、ネジ溝に限定されることはなく、密接に接続することができる部材を適宜使用することができる。
更に、固定リング１４は必ずしも必要でなく、抜け止め部材１７のみを使用してもよい。固定リングに代わって、抜け止め部材を保護するためにリング状の部材を使用してもよい。
【００３４】
図１（ｅ）は、阻止板材の斜視図（左側の図）および側面図（右側の図）である。図１（ｅ）に示すように、阻止板材６１は、円筒状の周縁部６２と周縁部６２の一方の端部に位置し開口部６４を有する底壁部６３からなっている。円筒状の周縁部６２と底壁部６３は一体的に形成されている。底壁部６３の一方の面（即ち、図１（ｅ）では上側の面が、本体部３１の平らな端面部３２に密着して配置される。阻止板材６１は、円筒状の周縁部６２の内周面６５が本体部３１の端面部３２の外周面を覆うように、本体部３１に取り付けられる。開口部６４は概ね円形で、その寸法は樹脂製パイプの内径よりも小さい。従って、挿入される樹脂製パイプが開口部６４を貫通することはなく、底壁部６３によって阻止される。阻止板材の材質は好ましくは透明で、挿入された樹脂パイプの先端部の位置を目視で確認できるものがよい。
【００３５】
図１（ａ）から図１（ｅ）に示したナット、固定リング、抜け止め部材、本体部および阻止板材は、図に示した順に組み立てられる。抜け止め部材が無い状態では、樹脂製パイプは組み立てられたナット、本体部の孔部を所望の抵抗を伴って、阻止板材で阻止されるまで前進後退できる。長軸方向に沿った断面においては、固定リング収容部および抜け止め部材収容部は、境界線からそれぞれ先細り状の概ね台形状部分からなっている。
【００３６】
次に、図面の説明に関して、本発明に用いるインコアの１つの態様を説明する。本発明に用いるインコアの１つの態様は、分岐部に用いられるヘッダに、止水可能に挿入される頭部と、継手用アダプタに挿入された樹脂製パイプに、止水可能に挿入される脚部とを備え、頭部および脚部はそれぞれ中央に貫通孔を有し、頭部の外径が樹脂製パイプの外径よりも大きく、脚部の外径が樹脂製パイプの内径と概ね同一で、頭部と脚部が一体的に形成されたインコアである。 
【００３７】
図２は、本発明に用いるインコアの１つの態様を示す斜視図である。図２に示すように、インコア４１は、後述する分岐部に用いられるヘッダに、止水可能に挿入される頭部４２と、継手用アダプタに挿入された樹脂製パイプに、止水可能に挿入される脚部４３とを備えている。頭部４２および脚部４３はそれぞれ中央に貫通孔を有している。頭部４２の外径が樹脂製パイプの外径よりも大きく、脚部４３の外径が樹脂製パイプの内径と概ね同一で、頭部４２と脚部４３が一体的に形成されている。更に、頭部４２に少なくとも１つのＯリング４４を有して、上述したヘッダとの間の止水機能を備え、脚部４３に少なくとも１つの別のＯリング４５を有して、樹脂製パイプとの間の止水機能を備えている。 
【００３８】
図３は、継手用アダプタ２に樹脂製パイプ３が挿入され、本体部３１の平らな端面部３２に密着して配置された阻止板材６１によって、樹脂製パイプ３の先端部が端面部３２と概ね同一面になるように継手用アダプタ２内に固定された状況を説明する図である。この状態は、組み立てられた継手用アダプタに樹脂製パイプが挿入され、端面部に密着して取り付けられた阻止板材によって、樹脂製パイプの先端面が本体部の平らな端面部と概ね同一面に位置して、固定されている。
【００３９】
即ち、図１を参照して説明したようにナット１１、本体部３１の間に固定リング、抜け止め部材が配置された状態で組み立て、本体部の平らな端面部に阻止板材が密着して配置された継手用アダプタ２に、ナット１１側から樹脂製パイプ３を、先端面が阻止板材によって阻止されるまで挿入すると、樹脂製パイプ３の先端面と平らな端面部３２が概ね同一平面になる状態で、樹脂製パイプ３が継手アダプタ２に、ワンタッチで容易に位置決めされ固定される。阻止板材が透明な材質で形成されているので、上述したように樹脂製パイプが所望の位置に固定されていることを目で容易に確認できる。
【００４０】
なお、樹脂製パイプ３は、上述したように抜け止め部材によって逆戻りができないように固定されているので、樹脂製パイプ３がナット１１側にずれて移動することは無い。なお、固定リング、抜け止め部材、固定リング収容部、および、抜け止め部材収容部の形状によって、固定された樹脂製パイプが長軸方向に微小移動するように若干の遊びを有していても良い。
【００４１】
次に、この発明の継手について説明する。この発明の継手の１つの態様は、それぞれ中央に対応する貫通孔部を備えた、平らな端面部を有する本体部と、円筒状の周縁部と周縁部の一方の端部に位置し開口部を有する底壁部とからなり、底壁部の一方の面が平らな端面部に接して配置される阻止板材と、本体部に接続されるナットと、本体部とナットとの間に配置されて逆方向への進行を阻止する歯部を有する抜け止め部材とを備え、阻止板材、本体部、抜け止め部材および前記ナットが組み合わされて形成されたナット側の端部から、樹脂製パイプが不可逆的に挿入されて、挿入されたパイプの先端面部が阻止板材の底壁部の表面に阻止されて固定される継手用アダプタと、分岐部に用いられるヘッダに、止水可能に挿入される頭部と、継手用アダプタに挿入され概ね同一面で固定された樹脂製パイプに、止水可能に挿入される脚部とを備え、頭部の外径が前記樹脂製パイプの外径よりも大きく、脚部の外径が樹脂製パイプの内径と概ね同一で、頭部と脚部が一体的に形成されたインコアとを備えた継手である。
【００４２】
図４は、継手を説明する図である。即ち、継手用アダプタに、逆方向への進行を阻止された状態で固定された樹脂製パイプの中にインコアを挿入した状態をしめしている。図３を参照して説明したように、樹脂製パイプ３が阻止板材６１を備えた継手アダプタ２に、ワンタッチで容易に位置決めされ固定された状態で、樹脂製パイプ３の先端部からインコア４１の脚部４３を挿入している。図４に示すように、継手アダプタ２に位置決め固定された樹脂製パイプ３はナット１１側に移動しないので、インコア４１の脚部４３を樹脂製パイプ３に挿入しても、図３で示した継手用アダプタ２と樹脂製パイプ３の相互の関係が崩れることは無い。従って、インコア４１の頭部４２の脚部４３側の端面が本体部３１の平らな端面部３２と密着して固定される。この状態では、インコア４１の脚部４３の表面に取り付けられＯリング４５が樹脂製パイプ３の内表面との間で、止水機能を果たしているので、パイプ３内を通る水がインコア４１との接続部から漏れることは無い。
後述するようにインコア４１の頭部４２に設けられたＯリング４４が、同様に、ヘッダとの間の止水機能を果たす。
【００４３】
図５は、図４を参照して説明した、阻止板材によって樹脂製パイプが所望の位置に固定されたこの発明の継手がヘッダに接続される状況を説明する図である。図５に示すように、図４を参照して説明した、本体部３１の平らな端面部３２に取り付けられた阻止板材６１によって樹脂製パイプが継手１内の所望の位置に固定されたこの発明の継手１が分岐部に設けられたヘッダ５０に取り付けられている。継手１のインコア４１の頭部４２がヘッダ５０の中に挿入されて、インコア４１の頭部４２に設けられたＯリング４４が、ヘッダ５０との間の止水機能を果たす。
従って、インコアの頭部の形状を対応するヘッダの形状と適合させることによって、本発明の機能を損なうことなく、ワンタッチで容易に取り付けることができる。
【００４４】
図６は解除状態を説明する図である。この発明の継手２では、ナット１１側から樹脂製パイプ３を挿入して樹脂製パイプ３の先端面が、阻止板材６１によって本体部３１の平らな端面部３２と概ね同一面になった状態で、インコア４１の脚部４３を挿入した状態から、樹脂製パイプを継手から解除する場合には、樹脂製パイプ３を所望の箇所で切断し、インコア４１の脚部４３が挿入された状態で、矢印の方向に樹脂製パイプ３を引き抜くことによって、阻止板材がインコアの脚部と頭部の間の境界部と樹脂製パイプの先端部の間に固定された状態で継手アダプタから切り離されて、解除機能が働く。解除に際して、阻止板材の円筒状の周縁部６２を手で把持することによって、インコアの頭部に取り付けられたＯリングに手の脂分が付着しないので、Ｏリングの機能低下を防止することができる。その後は、継手用アダプタ２に樹脂製パイプ３を挿入する、上述したと同じ動作を繰り返せばよい。
【００４５】
図７は本体部の平らな端面部に密着して取り付けられる阻止板材を説明する断面図である。図７（ａ）は継手用アダプタ２に樹脂製パイプ３が挿入された状態を説明する断面図である。図の右側にインコア４１が示されている。図７（ａ）に示すように、本体部の平らな端面部３２の外周面を覆うように密着して阻止板材６１が配置されている。即ち、阻止板材６１は円筒状の周縁部６２と開口部６４を有し一体的に形成された底壁部６３とからなっており、円筒状の周縁部６２の内周面が平らな端面部３２の円筒状の外周面を覆うように密着し、底壁部６３が端面部３２に密接して配置されている。樹脂製パイプ３の先端部が阻止板材６１の底壁部６３によって阻止されて、平らな端面部３２と樹脂製パイプ３の先端部が概ね同一面になるように固定される。図７（ａ）では、開口部の寸法と樹脂製パイプの内径とが一致している。開口部の寸法は、挿入された樹脂製パイプの先端部が阻止され、且つ、樹脂製パイプの先端部を固定したままの状態でインコアの挿入ができればよい。
【００４６】
図７（ｂ）は樹脂製パイプが継手用アダプタに固定された状態でインコアを樹脂製パイプ内に挿入した状態を示す断面図である。上述したように樹脂製パイプ３の先端部が阻止板材６１によって阻止された状態で、樹脂製パイプ３内にインコア４１が挿入される。このとき、阻止板材６１の底壁部は、インコア４１の頭部４２の脚部４３側の端部と、不可逆的に挿入された樹脂製パイプ３の先端部とによって挟まれた状態にある。即ち、阻止板材は、樹脂製パイプとインコアによってそれぞれ逆方向から押圧された状態にある。なお、図７（ｂ）に示すように、インコア４１の脚部４３の表面に取り付けられＯリング４５が樹脂製パイプ３の内表面との間で、止水機能を果たしているので、パイプ３内を通る水がインコア４１との接続部から漏れることは無い。
【００４７】
図７（ｃ）は樹脂製パイプを継手から解除する状態を説明する断面図である。樹脂製パイプを継手から解除する場合には、樹脂製パイプ３を所望の箇所で切断し、インコア４１の脚部４３が挿入された状態で、樹脂製パイプ３を引き抜くことによって、阻止板材がインコアの脚部と頭部の間の境界部と樹脂製パイプの先端部の間に挟まれて固定された状態で継手アダプタから切り離されて、解除される。解除に際して、阻止板材の円筒状の周縁部６２を手で把持することによって、インコアの頭部に取り付けられたＯリングに手の脂分が付着しないので、Ｏリングの機能低下を防止することができる。
【００４８】
次に、この発明の継手へのパイプの挿入固定方法を説明する。この発明の継手へのパイプの挿入固定方法の１つの態様は、図２から図４を参照して説明したように、平らな端面部を有する本体部と、円筒状の周縁部と周縁部の一方の端部に位置し開口部を有する底壁部とからなり、底壁部の一方の面が平らな端面部に接して配置される阻止板材と、本体部と接続されるナットと、本体部とナットとの間に配置されて逆方向への進行を阻止する歯部を有する抜け止め部材とを備えた継手用アダプタのナット側の端部から、樹脂製パイプを、その先端面が阻止板材の底壁部の表面に阻止されるまで、不可逆的に挿入、固定し、分岐部に用いられるヘッダに、止水可能に挿入される頭部と、継手用アダプタに挿入された樹脂製パイプに、止水可能に挿入される脚部とを一体的に備えたインコアを、脚部と頭部の境界部の端面が阻止板材の底壁部に接するまで樹脂製パイプ内に挿入する、継手へのパイプの挿入固定方法である。
【００４９】
即ち、図２から図４を参照して説明したように、ワンタッチで継手へのパイプの挿入固定ができる。即ち、抜け止め部材の歯部がアダプタの平らな端面側に突き出て、樹脂製パイプが挿入方向と逆方向へ進行するのを阻止し、本体側の端部と概ね同一面になるように挿入され、固定された樹脂製パイプの先端面が視認できる。この状態が確認できた後、樹脂製パイプの先端からインコアの脚部が挿入される。
【００５０】
上述したように、この発明によると、ワンタッチで樹脂製パイプを挿入し、挿入確認が目視で容易に且つ確実に行え、装着状態が良くない場合にも容易に解除機能を備えている継手および継手へのパイプの挿入固定方法を提供することができる。
【図面の簡単な説明】
【００５１】
【図１】図１は継手用アダプタを説明する図である。図１（ａ）はナットの斜視図（左側の図）および側面図（右側の図）である。図１（ｂ）は固定リングの斜視図（左側の図）および側面図（右側の図）である。図１（ｃ）は抜け止め部材の斜視図（左側の図）および側面図（右側の図）である。図１（ｄ）は、本体部の斜視図（左側の図）および側面図（右側の図）である。図１（ｅ）は、阻止板材の斜視図（左側の図）および側面図（右側の図）である。
【図２】図２は、インコアの１つの態様を示す斜視図である。
【図３】図３は、継手用アダプタに樹脂製パイプが挿入され、本体部３１の平らな端面部３２と樹脂製パイプの先端部が概ね同一面になるように固定された状況を説明する図である。
【図４】図４は、継手を説明する図である。
【図５】図５は、図４を参照して説明した、阻止板材によって樹脂製パイプが所望の位置に固定されたこの発明の継手がヘッダに接続される状況を説明する図である。
【図６】図６は解除状態を説明する図である。
【図７】図７は本体部の平らな端面部に密着して取り付けられる阻止板材を説明する断面図である。
【図８】図８は、従来の継手を説明する一部切り欠き部を備えた側面図である。
【図９】図９は、継手の状態を示す側面図である。
【符号の説明】
【００５２】
１    継手
２    継手用アダプタ
３    樹脂製パイプ
１１  ナット
１２  樹脂製パイプが挿入される側の端部
１３  接続部
１４  固定リング
１５  後端部
１６  前端部
１７  抜け止め部材
１８  垂直面
１９  歯部
３１  本体部
３２  平らな端面部
３３  接続部
３４  抜け止め部材収容部
３５  凹部
４１  インコア
４２  頭部
４３  脚部
４４、４５  Ｏリング４４
５０  ヘッダ
６１  阻止板材
６２  円筒状の周縁部
６３  底壁部
６４  開口部
【図１】
0005224329.tif 000002
【図２】
0005224329.tif 000003
【図３】
0005224329.tif 000004
【図４】
0005224329.tif 000005
【図５】
0005224329.tif 000006
【図６】
0005224329.tif 000007
【図７】
0005224329.tif 000008
【図８】
0005224329.tif 000009
【図９】
0005224329.tif 000010